(57)【要約】第１の端面１２と；第１の端面に対して所定の角度をなす第２の端面１４と；第１の端面及び第２の端面の一方から入射される複数の光信号をそれぞれ反射し、第１の端面及び第２の端面の他方から出射する複数の光反射部１６ａ〜１６ｄが形成された第３の端面１５とを有する透明体１０より成り、第３の端面に形成された複数の光反射部を第１の端面に投影したときのピッチが、第１のピッチであり、第３の端面に形成された複数の光反射部を第２の端面に投影したときのピッチが、第１のピッチと異なる第２のピッチである。第１のピッチで発光素子等がアレイ状に配列された発光素子アレイ等と、第２のピッチで光導波路がアレイ状に配列された光導波路アレイとを、簡便に光学的に接続することができる。
2004104666.tif 000002
【特許請求の範囲】
【請求項１】
第１の端面と；前記第１の端面に対して所定の角度をなす第２の端面と；前記第１の端面及び前記第２の端面の一方から入射される複数の光信号をそれぞれ反射し、前記第１の端面及び前記第２の端面の他方から出射する複数の光反射部が形成された第３の端面とを有する透明体より成り、
前記第３の端面に形成された前記複数の光反射部を前記第１の端面に投影したときのピッチが、第１のピッチであり、
前記第３の端面に形成された前記複数の光反射部を前記第２の端面に投影したときのピッチが、前記第１のピッチと異なる第２のピッチである
ことを特徴とする光学素子。
【請求項２】
請求の範囲第１項に記載の光学素子において、
前記第１の端面と前記第２の端面との交角は、ほぼ９０°であり、
前記第３の端面に形成された前記複数の光反射部は、前記第１の端面又は前記第２の端面に対して、それぞれほぼ４５°傾いている
ことを特徴とする光学素子。
【請求項３】
請求の範囲第１項又は第２項に記載の光学素子において、
前記第１の端面に、前記第１のピッチで複数のレンズが形成されている
ことを特徴とする光学素子。
【請求項４】
請求の範囲第１項乃至第３項のいずれか１項に記載の光学素子において、
前記第２の端面に、前記第２のピッチで複数のレンズが形成されている
ことを特徴とする光学素子。
【請求項５】
請求の範囲第３項又は第４項に記載の光学素子において、
前記レンズは、前記透明体と一体に形成されている
ことを特徴とする光学素子。
【請求項６】
請求の範囲第３項乃至第５項のいずれか１項に記載の光学素子において、
前記レンズは、前記光反射面の近傍が前記光信号のビームウェストとなるように、成形されている
ことを特徴とする光学素子。
【請求項７】
請求の範囲第１項乃至第６項のいずれか１項に記載の光学素子において、
前記第３の端面のうちの前記光反射部を除く面に、光を吸収する光吸収体が形成されている
ことを特徴とする光学素子。
【請求項８】
請求の範囲第１項乃至第７項のいずれか１項に記載の光学素子において、
前記第３の端面に形成された前記光反射部に、前記光信号を反射する光反射膜が形成されている
ことを特徴とする光学素子。
【請求項９】
回路基板と、
前記回路基板上に設けられ、第１のピッチで配列されて成り、光信号をそれぞれ出射する複数の発光素子と、
前記回路基板上に設けられ、前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである光学素子と
を有することを特徴とする光伝送ユニット。
【請求項１０】
回路基板と、
前記回路基板上に設けられ、第１の端面と；前記第１の端面に対して所定の角度をなす第２の端面と；前記第２の端面の一方から入射される複数の光信号をそれぞれ反射し、前記第１の端面から出射する複数の光反射部が形成された第３の端面とを有する透明体より成り、前記第３の端面に形成された前記複数の光反射部を前記第１の端面に投影したときのピッチが、第１のピッチであり、前記第３の端面に形成された前記複数の光反射部を前記第２の端面に投影したときのピッチが、前記第１のピッチと異なる第２のピッチである光学素子と、
前記光学素子の前記第１の端面に対向し、前記第１のピッチで配列されて成り、前記複数の光信号がそれぞれ入射される受光素子と
を有することを特徴とする光伝送ユニット。
【請求項１１】
請求の範囲第９項又は第１０項に記載の光伝送ユニットにおいて、
前記第２のピッチで配列されて成り、前記光学素子の前記第２の端面に対向する複数の光導波路を更に有する
ことを特徴とする光伝送ユニット。
【請求項１２】
第１のピッチで配列されて成り、光信号をそれぞれ出射する複数の発光素子と、
前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである第１の光学素子と、
前記第２のピッチで配列されて成り、一方の端部が前記第１の光学素子の前記第２の端面に対向する複数の光導波路と、
前記複数の光導波路の他方の端部に対向する第４の端面と；前記第４の端面に対して所定の角度をなす第５の端面と；前記第４の端面の一方から入射される複数の光信号をそれぞれ反射し、前記第５の端面から出射する複数の光反射部が形成された第６の端面とを有する透明体より成り、前記第５の端面に形成された前記複数の光反射部を前記第５の端面に投影したときのピッチが、前記第１のピッチであり、前記第５の端面に形成された前記複数の光反射部を前記第４の端面に投影したときのピッチが、前記第２のピッチである第２の光学素子と、
前記第２の光学素子の前記第５の端面に対向し、前記第１のピッチで配列されて成り、前記複数の光信号がそれぞれ入射される複数の受光素子と
を有することを特徴とする光伝送システム。
【請求項１３】
請求の範囲第１２項に記載の光伝送システムにおいて、
前記第３の端面に形成された前記複数の光反射部のうちの前記第１の端面に最も近い前記光反射部により反射される前記光信号が、前記第６の端面に形成された前記複数の他の光反射部のうちの前記第４の端面から最も離れた前記他の光反射部により反射され、前記第３の端面に形成された前記複数の光反射部のうちの前記第１の端面から最も離れた前記光反射部により反射される前記光信号が、前記第６の端面に形成された前記複数の他の光反射部のうちの前記第４の端面に最も近い前記他の光反射面により反射されるように、前記第１の光学素子と前記第２の光学素子とが配置されている
ことを特徴とする光伝送システム。
【発明の詳細な説明】
【技術分野】  本発明は、光学素子並びにその光学素子を用いた光伝送ユニット及び光伝送システムに関する。
【背景技術】  光伝送技術は、高速通信が可能であるため、大きな注目を集めている。
従来、光通信用の光ファイバの材料としては、石英が広く用いられていた。石英より成る光ファイバは、光の減衰が極めて少ないため、長距離の光通信が可能である。
しかし、石英より成る光ファイバは、比較的高価であった。また、石英より成る光ファイバは、コア径が、シングルモードの場合には１０μｍ、マルチモードの場合には５０μｍと小さいため、位置合わせが容易ではなかった。
近時、プラスチックより成る光ファイバが提案されている。プラスチックより成る光ファイバは、長距離の通信にはあまり適していないが、石英より成る光ファイバと比較して安価である。また、プラスチックより成る光ファイバは、コア径が例えばφ１２０μｍと大きいため、位置合わせも容易である。
複数の光信号を同時に伝送するためには、複数の光ファイバがアレイ状に配列された光ファイバアレイが用いられる。プラスチックよりなる光ファイバの外径は一般にφ５００μｍ以上であるため、このような光ファイバが配列されて成る光ファイバアレイのピッチは５００μｍ以上となる。
しかし、プラスチック光ファイバ（ＰＯＦ、Ｐｌａｓｔｉｃ  Ｏｐｔｉｃａｌ  Ｆｉｂｅｒ）アレイの標準ピッチは５００μｍ以上であるのに対し、従来のアレイ状の発光素子や受光素子、即ち、従来の光素子アレイの標準ピッチは１２５μｍ又は２５０μｍである。このため、プラスチック光ファイバアレイと光素子アレイとは、光学的に直接接続することはできなかった。
なお、アレイ状の発光素子や受光素子の標準ピッチが１２５μｍ又は２５０μｍとなっているのは、石英を用いた従来の光ファイバアレイの標準ピッチが１２５μ又は２５０μｍとなっており、整合性を確保するためである。
ここで、５００μｍのピッチの光素子アレイを新たに製造することも考えられる。しかし、光素子アレイのピッチを５００μｍにした場合には、１つのウェハを用いて製造しうる光素子アレイの数が少なくなり、光素子アレイの高コスト化を招いてしまう。また、５００μｍのピッチの光素子アレイは、量産されていないため、高価となってしまう。従って、２５０μｍのピッチの汎用的な光素子アレイを用いることが好ましい。
ピッチが互いに異なる光ファイバアレイと光素子アレイとを光学的に接続するための技術として、以下のような技術が提案されている。
即ち、特許文献１には、光ファイバアレイと光素子アレイとの間に、ピッチ変換用の光導波路を設けることにより、ピッチが互いに異なる光ファイバアレイと光素子アレイとを光学的に接続する技術が提案されている。
また、特許文献２には、光ファイバアレイと光素子アレイとの間に、結像レンズを設け、結像倍率を利用してピッチ変換を行う接続する技術が提案されている。
また、特許文献３には、傾斜した光ファイバを埋め込んだブロック体により、ピッチ変換を行う技術が提案されている。
【特許文献１】  特開平１１−１１９０６６号公報
【特許文献２】  特開２００２−２２１６４２号公報
【特許文献３】  特開２００１−２４２１３号公報
【特許文献４】  特開平９−１２７３７５号公報
【特許文献５】  特開２００２−３２９９３５号公報
しかしながら、上述した提案されている技術は、いずれも大がかりなものであり、小型化、低コスト化の要請を満たすことができない。特に、特許文献２で提案されている技術では、結像レンズを用いるため、位置合わせが極めて困難である。また、特許文献３で提案されている技術では、ブロック体の製造工程が複雑であるため、極めて高価になってしまう。
本発明の目的は、ピッチが互いに異なる光素子アレイ、光導波路アレイ等を簡便に光学的に接続し得る光学素子、並びに、その光学素子を用いた光伝送ユニット及び光伝送システムを提供することにある。
【発明の開示】
上記目的は、第１の端面と；前記第１の端面に対して所定の角度をなす第２の端面と；前記第１の端面及び前記第２の端面の一方から入射される複数の光信号をそれぞれ反射し、前記第１の端面及び前記第２の端面の他方から出射する複数の光反射部が形成された第３の端面とを有する透明体より成り、前記第３の端面に形成された前記複数の光反射部を前記第１の端面に投影したときのピッチが、第１のピッチであり、前記第３の端面に形成された前記複数の光反射部を前記第２の端面に投影したときのピッチが、前記第１のピッチと異なる第２のピッチであることを特徴とする光学素子により達成される。
また、上記目的は、回路基板と、前記回路基板上に設けられ、第１のピッチで配列されて成り、光信号をそれぞれ出射する複数の発光素子と、前記回路基板上に設けられ、前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである光学素子とを有することを特徴とする光伝送ユニットにより達成される。
また、上記目的は、回路基板と、前記回路基板上に設けられ、第１の端面と；前記第１の端面に対して所定の角度をなす第２の端面と；前記第２の端面の一方から入射される複数の光信号をそれぞれ反射し、前記第１の端面から出射する複数の光反射部が形成された第３の端面とを有する透明体より成り、前記第３の端面に形成された前記複数の光反射部を前記第１の端面に投影したときのピッチが、第１のピッチであり、前記第３の端面に形成された前記複数の光反射部を前記第２の端面に投影したときのピッチが、前記第１のピッチと異なる第２のピッチである光学素子と、前記光学素子の前記第１の端面に対向し、前記第１のピッチで配列されて成り、前記複数の光信号がそれぞれ入射される受光素子とを有することを特徴とする光伝送ユニットにより達成される。
また、上記目的は、第１のピッチで配列されて成り、光信号をそれぞれ出射する複数の発光素子と、前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである第１の光学素子と、前記第２のピッチで配列されて成り、一方の端部が前記第１の光学素子の前記第２の端面に対向する複数の光導波路と、前記複数の光導波路の他方の端部に対向する第４の端面と；前記第４の端面に対して所定の角度をなす第５の端面と；前記第４の端面の一方から入射される複数の光信号をそれぞれ反射し、前記第５の端面から出射する複数の光反射部が形成された第６の端面とを有する透明体より成り、前記第５の端面に形成された前記複数の光反射部を前記第５の端面に投影したときのピッチが、前記第１のピッチであり、前記第５の端面に形成された前記複数の光反射部を前記第４の端面に投影したときのピッチが、前記第２のピッチである第２の光学素子と、前記第２の光学素子の前記第５の端面に対向し、前記第１のピッチで配列されて成り、前記複数の光信号がそれぞれ入射される複数の受光素子とを有することを特徴とする光伝送システムにより達成される。
本発明によれば、第１のピッチで配列された発光素子から出射される複数の光信号を、第２のピッチで配列された光導波路内に導入することができる。また、第２のピッチで配列された光導波路から出射される複数の光信号を、第１のピッチで配列された受光素子内に導入することもできる。このため、本発明によれば、第１のピッチで発光素子等がアレイ状に配列された発光素子アレイ等と、第２のピッチで光導波路がアレイ状に配列された光導波路アレイとを、簡便に光学的に接続することができる。しかも、第１の端面及び第２の端面が平面であるため、汎用的な発光素子アレイ、光導波路アレイ等を用いることができる。汎用的な発光素子アレイ、光導波路アレイ等を用いることができるため、低コスト化に寄与することができる。
【図面の簡単な説明】  図１は、本発明の一実施形態による光学素子を示す平面図である。
図２は、本発明の一実施形態による光学素子を示す側面図である。
図３は、本発明の一実施形態の変形例（その１）による光学素子を示す平面図である。
図４は、本発明の一実施形態の変形例（その１）による光学素子を示す側面図である。
図５は、本発明の一実施形態の変形例（その２）による光学素子を示す平面図（その１）である。
図６は、本発明の一実施形態の変形例（その２）による光学素子を示す平面図（その２）である。
図７は、本発明の一実施形態の変形例（その３）による光学素子を示す平面図である。
図８は、本発明の一実施形態の変形例（その４）による光学素子を示す平面図（その１）である。
図９は、本発明の一実施形態の変形例（その４）による光学素子を示す平面図（その２）である。
図１０は、本発明の一実施形態による光伝送ユニットを示す平面図及び側面図である。
図１１は、本発明の一実施形態による光伝送システムを示す概念図である。
【発明を実施するための最良の形態】  本発明の一実施形態による光学素子、光伝送ユニット及び光伝送システムを図１乃至図１１を用いて説明する。
（光学素子）
まず、本実施形態による光学素子について説明する。図１は、本実施形態による光学素子を示す平面図である。図２は、本実施形態による光学素子を示す側面図である。図２Ａは、図１の紙面下側から見た図である。図２Ｂは、図１の紙面右側から見た図である。
本実施形態による光学素子は、透明体１０により形成されている。透明体１０の材料としては、プラスチック、ガラス、石英等を用いることができる。プラスチックとしては、ポリカーボネートやアクリル等を挙げることができる。透明体１０を成型する際の容易性を考慮すると、プラスチックを用いて透明体１０を構成することが好適である。透明体１０の材料としてプラスチックを用いる場合には、例えば金型を用いた射出成形により透明体１０を形成することができる。
透明体１０は、寸法ＬＸ×ＬＹ×ＬＺの直方体の一部を切り欠いたような形状のものである。第１の端面１２の幅ＬＸは、例えば２ｍｍである。第２の端面１４の幅ＬＹは、例えば３ｍｍである。透明体１０の高さＬＺは、例えば２ｍｍである。透明体１０の第１の端面１２と透明体１０の第２の端面１４との交角は、９０°である。
透明体１０の第１の端面１２には、例えば第１のピッチΔＰＸで発光素子２０ａ〜２０ｄが一次元アレイ状に形成されて成る発光素子アレイ２０が対向している。発光素子アレイ２０としては、例えばＶＣＳＥＬ（Ｖｅｒｔｉｃａｌ  Ｃａｖｉｔｙ  Ｓｕｒｆａｃｅ−Ｅｍｉｔｔｉｎｇ  Ｌａｓｅｒ）アレイを用いることができる。ＶＣＳＥＬアレイは、ＶＣＳＥＬがアレイ状に形成されて成るものである。第１のピッチΔＰＸは、例えば２５０μｍである。
透明体１０の第２の端面１４には、例えば第２のピッチΔＰＹで光導波路２１ａ〜２１ｄが一次元アレイ状に形成されて成る光導波路アレイ２１が対向している。光導波路アレイ２１としては、例えばプラスチックファイバアレイを用いることができる。プラスチックファイバアレイは、材料としてプラスチックを用いた光ファイバがアレイ状に形成されて成るものである。第２のピッチΔＰＹは、例えば５００μｍである。
透明体１０の第３の端面１５には、複数の光反射部１６ａ〜１６ｄが形成されている。第３の端面１５に形成された複数の光反射部１６ａ〜１６ｄを第１の端面１２に投影したときのピッチは、第１のピッチΔＰＸである。一方、第３の端面１５に形成された複数の光反射部１６ａ〜１６ｄを第２の端面１４に投影したときのピッチは、第２のピッチΔＰＹである。光反射部１６ａ〜１６ｄの第１の端面１２に対する傾きは、それぞれ４５°である。また、光反射部１６ａ〜１６ｄの第２の端面１４に対する傾きは、それぞれ４５°である。光反射部１６ａ〜１６ｄは、第１の端面１２側から入射される複数の光信号Ｓ１〜Ｓ４をそれぞれ反射して、第２の端面１４側から出射するためのものである。
こうして、本実施形態による光学素子１８が構成されている。
次に、本実施形態による光学素子の動作について図１及び図２を用いて説明する。
図１に示すように、一次元アレイ状に形成された発光素子２０ａ〜２０ｄから、光信号Ｓ１〜Ｓ４がそれぞれ出射される。発光素子２０ａ〜２０ｄから出射された複数の光信号Ｓ１〜Ｓ４は、第１の端面１２から透明体１０内に導入される。
透明体１０内に導入された複数の光信号Ｓ１〜Ｓ４は、複数の光反射部１６ａ〜１６ｄによりそれぞれ反射される。光反射部１６ａ〜１６ｄによりそれぞれ反射された光信号Ｓ１〜Ｓ４は、第２の端面１４から透明体１０の外部に出射される。
第２の端面１４から出射された光信号Ｓ１〜Ｓ４は、一次元アレイ状に配列された光導波路２１ａ〜２１ｄ内に導入される。
このように、本実施形態では、第３の端面１５に形成された光反射部１６ａ〜１６ｄを第１の端面１２に投影したときのピッチが第１のピッチΔＰＸであり、第３の端面１５に形成された光反射部１６ａ〜１６ｄを第２の端面１４に投影したときのピッチが第２のピッチΔＰＹであるため、第１のピッチΔＰＸで配列された発光素子２０ａ〜２０ｄから出射される光信号Ｓ１〜Ｓ４が、第２のピッチΔＰＹで配列された光導波路２１ａ〜２１ｄ内に導入される。
なお、ここでは、複数の光信号Ｓ１〜Ｓ４を第１の端面１２側から入射し、第２の端面１４側から出射する場合を例に説明したが、複数の光信号Ｓ１〜Ｓ４を第２の端面１４側から入射し、第１の端面１２側から出射するようにしてもよい。この場合には、第２のピッチΔＰＹで配列された光導波路２１ａ〜２１ｄから出射される光信号Ｓ１〜Ｓ４を、第１のピッチΔＰＸで配列された受光素子２３ａ〜２３ｄ（図６参照）内に導入することができる。
このように、本実施形態によれば、第１のピッチΔＰＸで配列された発光素子２０ａ〜２０ｄから出射される複数の光信号Ｓ１〜Ｓ４を、第２のピッチΔＰＹで配列された光導波路２１ａ〜２１ｄ内に導入することができる。また、第２のピッチΔＰＹで配列された光導波路２１ａ〜２１ｄから出射される複数の光信号Ｓ１〜Ｓ４を、第１のピッチΔＰＸで配列された受光素子２３ａ〜２３ｄ内に導入することもできる。このため、本実施形態によれば、第１のピッチΔＰＸで発光素子２０ａ〜２０ｄ等がアレイ状に配列された発光素子アレイ２０等と、第２のピッチΔＰＹで光導波路２１ａ〜２１ｄがアレイ状に配列された光導波路アレイ２１とを、簡便に光学的に接続することができる。しかも、第１の端面１２及び第２の端面１４が平面であるため、汎用的な発光素子アレイ２０、光導波路アレイ２１等を用いることができる。汎用的な発光素子アレイ２０、光導波路アレイ２１等を用いることができるため、低コスト化に寄与することができる。
（変形例（その１））
次に、本実施形態による光学素子の変形例（その１）を図３及び図４を用いて説明する。図３は、本変形例による光学素子を示す平面図である。図４は、本変形例による光学素子を示す側面図である。図４Ａは、図３の紙面下側から見た図である。図４Ｂは、図３の紙面右側から見た図である。
本変形例による光学素子は、第１の端面１２及び第２の端面１４にそれぞれ複数のレンズ２２ａ〜２２ｄ、２４ａ〜２４ｄが設けられていることに主な特徴がある。
図３及び図４に示すように、透明体１０の第１の端面１２には、複数のレンズ２２ａ〜２２ｄが形成されている。レンズ２２ａ〜２２ｄの形状は、半球状である。レンズ２２ａ〜２２ｄは、透明体１０と一体に形成されている。レンズ２２ａ〜２２ｄは、第１のピッチΔＰＸで形成されている。レンズ２２ａ〜２２ｄは、外部から入射される光信号Ｓ１〜Ｓ４がコリメートされるように、成形されている。
透明体１０の第２の端面１４にも、複数のレンズ２４ａ〜２４ｄが形成されている。レンズ２４ａ〜２４ｄの形状は、半球状である。レンズ２４ａ〜２４ｄは、透明体１０と一体に形成されている。レンズ２４ａ〜２４ｄは、第２のピッチΔＰＹで形成されている。レンズ２４ａ〜２４ｄは、透明体１０内から外部に出射される光信号Ｓ１〜Ｓ４のビーム径が所望のビーム径となるように、成形されている。
本変形例によれば、第１の端面１２側にレンズ２２ａ〜２２ｄが形成されているため、光信号Ｓ１〜Ｓ４をコリメートすることができ、透明体１０内で光信号Ｓ１〜Ｓ４が拡がってしまうのを防止することができる。このため、本変形例によれば、光信号Ｓ１〜Ｓ４の減衰を防止することができる。
また、本変形例によれば、第２の端面１４にレンズ２４ａ〜２４ｄが形成されているため、外部に出射される光信号Ｓ１〜Ｓ４のビーム径を所望のビーム径に設定することができる。このため、本変形例によれば、光信号Ｓ１〜Ｓ４のビーム径を光導波路２１のコア２５の径と整合させることができる。
なお、ここでは、複数の光信号Ｓ１〜Ｓ４を第１の端面１２側から入射し、第２の端面１４側から出射する場合を例に説明したが、複数の光信号Ｓ１〜Ｓ４を第２の端面１４側から入射し、第１の端面１２側から出射してもよい。この場合には、以下のような効果が得られる。
即ち、透明体１０の第２の端面１４側に形成されたレンズ２４ａ〜２４ｄにより光信号Ｓ１〜Ｓ４がコリメートされるため、透明体１０内で光信号Ｓ１〜Ｓ４が拡がってしまうのを防止することができる。従って、光信号Ｓ１〜Ｓ４の減衰を防止することができる。
また、透明体１０の第１の端面１２側に形成されたレンズ２２ａ〜２２ｄにより、外部に出射される光信号Ｓ１〜Ｓ４のビーム径を所望のビーム径に設定することができる。このため、外部に出射される光信号Ｓ１〜Ｓ４のビーム径を、受光素子２３ａ〜２３ｄ（図６参照）の受光領域（図示せず）のサイズと整合させることができる。
（変形例（その２））
次に、本実施形態による光学素子の変形例（その２）を図５及び図６を用いて説明する。図５は、本変形例による光学素子を示す平面図（その１）である。図５は、光信号Ｓ１〜Ｓ４が、第１の端面１２側から入射され、第２の端面１４側から出射される場合を示している。図６は、本変形例による光学素子を示す平面図（その２）である。図６は、光信号Ｓ１〜Ｓ４が、第２の端面１４側から入射され、第１の端面１２側から出射される場合を示している。
本変形例による光学素子は、光反射部１６ａ〜１６ｄが光信号Ｓ１〜Ｓ４のビームウェストとなるように、レンズ２２ｅ〜２２ｈ、２４ｅ〜２４ｈが成形されていることに主な特徴がある。
図５Ａに示すように、透明体１０の第１の端面１２には、複数のレンズ２２ｅ〜２２ｈが形成されている。レンズ２２ｅ〜２２ｈは、透明体１０と一体に形成されている。レンズ２２ｅ〜２２ｈは、光信号Ｓ１〜Ｓ４のビームウェストが、光反射部１６ａ〜１６ｄの位置となるように成形されている。ビームウェストとは、基本モードのガウスビームにおいて、スポットの大きさが最小になる位置のことである。
図５Ｂは、光反射部の位置をビームウェストの位置とするための具体的な設計手法を示す概念図である。
図５Ｂにおいて、ｗ１はＡ点がビームウェストとなるときのＡ点におけるビーム径を示しており、ｗ２はＢ点におけるビーム径を示している。Ｒはレンズの曲率半径を示しており、ｎ１は空気の屈折率を示しており、ｎ２は透明体１０の屈折率を示している。ｄ１はレンズの先端からＢ点までの距離を示しており、ｄ２はレンズの先端からＡ点までの距離を示している。
光線追跡法によれば、以下のような式が成立する（河野健治著、光結合系の基礎と応用、現代工学社刊参照）。
2004104666.tif 000003
式（１）を用い、例えば、Ａ点の位置を光反射部１６ａ〜１６ｄの位置、Ｂ点の位置を発光素子２０ａ〜２０ｄの発光面の位置、Ｒをレンズ２２ｅ〜２２ｈの曲率半径とすれば、光反射部１６ａ〜１６ｄの位置をビームウェストの位置とすることができる。
また、図６に示すように、透明体１０の第２の端面１４には、複数のレンズ２４ｅ〜２４ｈが形成されている。レンズ２４ｅ〜２４ｈは、透明体１０と一体に形成されている。レンズ２４ｅ〜２４ｈは、光信号Ｓ１〜Ｓ４のビームウェストが、光反射部１６ａ〜１６ｄの位置となるように成形されている。
式（１）を用い、例えば、Ａ点の位置を光反射部１６ａ〜１６ｄの位置、Ｂ点の位置を光導波路２１ａ〜２１ｄの端部の位置、Ｒをレンズ２４ｅ〜２４ｈの曲率半径とすれば、光反射部１６ａ〜１６ｄの位置をビームウェストの位置とすることができる。
透明体１０の第２の端面１４には、第１のピッチΔＰＸで受光素子２３ａ〜２３ｄが一次元アレイ状に配列されて成る受光素子アレイ２３が対向している。発光素子アレイ２３としては、例えばＰＤ（Ｐｈｏｔｏ  Ｄｅｔｅｃｔｏｒ）アレイを用いることができる。ＰＤアレイは、ＰＤがアレイ状に形成されて成るものである。
本変形例によれば、光反射部１６ａ〜１６ｄの位置が光信号Ｓ１〜Ｓ４のビームウェストとなるようにレンズ２２ｅ〜２２ｈ、２４ｅ〜２４ｈが成形されているため、光信号Ｓ１〜Ｓ４のクロストークを防止することができる。
なお、ここでは、光反射部１６ａ〜１６ｄの位置が光信号Ｓ１〜Ｓ４のビームウェストとなるようにレンズ２２ｅ〜２２ｈ、２４ｅ〜２４ｈを成形する場合を例に説明したが、光反射部１６ａ〜１６ｄの位置が必ずしも光信号Ｓ１〜Ｓ４のビームウェストとならなくてもよい。光反射部１６ａ〜１６ｄの近傍の位置が光信号Ｓ１〜Ｓ４のビームウェストとなるようにすれば、光信号Ｓ１〜Ｓ４のクロストークを防止することが可能である。
（変形例（その３））
次に、本実施形態による光学素子の変形例（その３）を図７を用いて説明する。図７は、本変形例による光学素子を示す平面図である。
本変形例による光学素子は、光反射部１６ａ〜１６ｄを覆うように反射膜２６が形成されていることに主な特徴がある。
図７に示すように、透明体１０の第３の端面１５には、光反射部２６ａ〜２６ｄを覆うように反射膜２６が形成されている。反射膜２６としては、例えば、Ａｌ膜、Ｃｒ膜等を用いることができる。反射膜２６は、例えば蒸着法により形成することが可能である。
本変形例によれば、光反射部１６ａ〜１６ｄを覆うように反射膜２６が形成されているため、光反射部１６ａ〜１６ｄが全反射条件を満たさない場合であっても、光信号Ｓ１〜Ｓ４を確実に反射させることができる。
（変形例（その４））
次に、本実施形態による光学素子の変形例（その４）を図８を用いて説明する。図８は、本変形例による光学素子を示す平面図（その１）である。図８は、光信号Ｓ１〜Ｓ４が第１の端面側１２側から入射され、第２の端面１４側から出射される場合を示している。図９は、本変形例による光学素子を示す平面図（その２）である。図９は、光信号Ｓ１〜Ｓ４が、第２の端面１４側から入射され、第１の端面１２側から出射される場合を示している。
本変形例による光学素子は、光反射部１６ａ〜１６ｄ、第１の端面１２及び第２の端面１４を除く面に、光吸収体２８が形成されていることに主な特徴がある。
図８及び図９に示すように、光反射部１６ａ〜１６ｄ、第１の端面１２及び第２の端面１４を除く面には、光吸収体２８が形成されている。光吸収体２８の材料としては、例えばカーボンブラックを用いることができる。
本変形例によれば、光吸収体２８が形成されているため、所定の光路からずれた光を光吸収体２８により吸収することができる。このため、本変形例によれば、光信号Ｓ１〜Ｓ４のクロストークを防止することができる。
（光伝送ユニット）
次に、本実施形態による光伝送ユニットについて図１０を用いて説明する。図１０は、本実施形態による光伝送ユニットを示す平面図及び側面図である。図１０Ａは平面図であり、図１０Ｂは側面図である。
図１０に示すように、光学素子１８は、ハウジング３０に収納されている。光学素子１８は、ハウジング３０により回路基板３２上に固定されている。回路基板３２上には、ドライバ回路を構成する半導体素子３４が搭載されている。
また、光学素子１８の第１の端面１２側には、他の回路基板３６が設けられている。回路基板３６は、回路基板３２に対して垂直に実装されている。回路基板３６には、発光素子アレイ２０が実装されている。発光素子アレイ２０は、光学素子１８の第１の端面１２に対向している。発光素子アレイ２０は、上記と同様に、発光素子２０ａ〜２０ｄを第１のピッチΔＰＸで一次元アレイ状に配列することにより構成されている。
光学素子１８の第２の端面１４には、光導波路アレイ２１が対向している。光導波路アレイ２１は、上記と同様に、光導波路２１ａ〜２１ｄを第２のピッチΔＰＹで一次元アレイ状に配列することにより構成されている。光導波路アレイ２１の端部は、コネクタ４０に収納されている。光導波路アレイ２１は、コネクタ４０により、ハウジング３０に固定されている。
こうして、本実施形態による光伝送ユニット４２が構成されている。
次に、本実施形態による光伝送ユニットの動作について図１０を用いて説明する。
一次元アレイ状に形成された発光素子２０ａ〜２０ｄから、光信号Ｓ１〜Ｓ４がそれぞれ出射される。発光素子２０ａ〜２０ｄから出射された複数の光信号Ｓ１〜Ｓ４は、第１の端面１２側から透明体１０内に導入される。
透明体１０内に導入された複数の光信号Ｓ１〜Ｓ４は、複数の光反射部１６ａ〜１６ｄによりそれぞれ反射される。光反射部１６ａ〜１６ｄによりそれぞれ反射された光信号Ｓ１〜Ｓ４は、第２の端面１４から透明体１０の外部に出射される。
第２の端面１４から出射された光信号Ｓ１〜Ｓ４は、一次元アレイ状に配列された光導波路２１ａ〜２１ｄ内に導入される。
第３の端面１５に形成された光反射部１６ａ〜１６ｄを第１の端面１２に投影したときのピッチが第１のピッチΔＰＸであり、第３の端面１５に形成された光反射部１６ａ〜１６ｄを第２の端面１４に投影したときのピッチが第２のピッチΔＰＹであるため、第１のピッチΔＰＸで配列された発光素子２０ａ〜２０ｄから出射される光信号Ｓ１〜Ｓ４を、第２のピッチΔＰＹで配列された光導波路２１ａ〜２１ｄ内に導入することができる。
このように、本実施形態による光伝送ユニット４２は、光送信ユニットととして機能することができる。
なお、ここでは、回路基板３６に発光素子アレイ２０を実装する場合を例に説明したが、回路基板３６に受光素子アレイ２３（図６参照）を実装してもよい。この場合には、光受信ユニットとして機能しうる光伝送ユニットを提供することができる。
このように、本実施形態による光学素子１８を用いて光伝送ユニット４２を構成してもよい。
（光伝送システム）
次に、本実施形態による光学素子を用いた光伝送システムについて図１１を用いて説明する。図１１は、本実施形態による光伝送システムを示す概念図である。
図１１に示すように、光信号を伝送する送信部４４と光信号を受信する受信部４６との間には、光信号を伝送するための光導波路アレイ２１が設けられている。光導波路アレイ２１の両端には、光学素子１８ａ、１８ｂがそれぞれ設けられている。光学素子１８ａ、１８ｂとしては、図１乃至図９を用いて上述した光学素子１８のいずれかを用いることができる。アレイ状の光導波路２１ａ〜２１ｄのピッチは、上記と同様に、例えば５００μｍである。光導波路アレイ２１の一端は、光学素子１８ａの第２の端面１４と対向している。光導波路アレイ２１の他端は、光学素子１８ｂの第２の端面１４と対向している。
光学素子１８ａの第１の端面１２側には、発光素子アレイ２０が設けられている。発光素子アレイ２０は、上記と同様に、発光素子２０ａ〜２０ｄを第１のピッチΔＰＸで一次元アレイ状に配列することにより構成されている。
光学素子１８ｂの第１の端面１２側には、例えば受光素子アレイ２３が設けられている。受光素子アレイ２３としては、例えばＰＤアレイを用いることができる。受光素子アレイ２３は、受光素子２３ａ〜２３ｄを第１のピッチΔＰＸで一次元アレイ状に配列することにより構成されている。
図１１に示すように、光学素子１８ａと光学素子１８ｂとは、光学素子１８ａの第３の端面１５に形成された光反射部１６ａにより反射される光信号Ｓ１が、光導波路２１ａを通って、光学素子１８ｂの第３の端面１５に形成された光反射部１６ｄにより反射され、光学素子１８ａの第３の端面１５に形成された光反射部１６ｂにより反射される光信号Ｓ２が、光導波路２１ｂを通って、光学素子１８ｂの第３の端面１５に形成された光反射部１６ｃにより反射され、光学素子１８ａの第３の端面１５に形成された光反射部１６ｃにより反射される光信号Ｓ３が、光導波路２１ｃを通って、光学素子１８ｂの第３の端面１５に形成された光反射部１６ｂにより反射され、光学素子１８ａの第３の端面１５に形成された光反射部１６ｄにより反射される光信号Ｓ４が、光導波路２１ｄを通って、光学素子１８ｂの第３の端面１５に形成された光反射部１６ａにより反射されるように、配置されている。
即ち、第１の光学素子１８ａと前記第２の光学素子１８ｂとは、第１の光学素子１８ａの第３の端面１５に形成された複数の光反射部１６ａ〜１６ｄのうちの第１の端面１２に最も近い光反射部１６ａにより反射される光信号Ｓ１が、第２の光学素子１８ｂの第３の端面１５に形成された複数の光反射部１６ａ〜１６ｄのうちの第１の端面１２から最も離れた光反射部１６ｄにより反射され、第１の光学素子１８ａの第３の端面１５に形成された複数の光反射部１６ａ〜１６ｄのうちの第１の端面１２から最も離れた光反射部１６ｄにより反射される光信号Ｓ４が、第２の光学素子１８ｂの第３の端面１５に形成された複数の光反射部１６ａ〜１６ｄのうちの第１の端面１２に最も近い光反射面１６ａにより反射されるように、配置されている。
光学素子１８ａと光学素子１８ｂとをこのように配置しているのは、後述するように、複数の光信号Ｓ１〜Ｓ４の伝送距離を互いに等しく設定するためである。
次に、本実施形態による光伝送システムの動作について説明する。
発光素子２０ａ〜２０ｄから出射された光信号Ｓ１〜Ｓ４は、光学素子１８ａの第１の端面１２側から光学素子１８ａ内に導入され、光学素子１８ａの光反射部１６ａ〜１６によりそれぞれ反射されて、光学素子１８ａの第２の端面１４側から出射される。光学素子１８ａから出射された光信号Ｓ１〜Ｓ４は、光導波路２１ａ〜２１ｄ内をそれぞれ通り、光学素子１８ｂの第２の端面１４側から光学素子１８ｂ内に導入される。光学素子１８ｂ内に導入された光信号Ｓ１〜Ｓ４は、光学素子１８ｂの光反射部１６ａ〜１６ｄによりそれぞれ反射され、光学素子１８ｂの第１の端面１２側から出射される。光学素子１８ｂの第１の端面１２側から出射された光信号Ｓ１〜Ｓ４は、受光素子２３ａ〜２３ｄ内にそれぞれ導入される。受光素子２３ａ〜２３ｄは、光信号Ｓ１〜Ｓ４をそれぞれ検出する。
図１１に示すように、発光素子２０ａから出射される光信号Ｓ１の光学素子１８ａ内における伝送距離は、ＤＸ＋３・ΔＰＸ＋ＤＹである。また、光信号Ｓ１の光学素子１８ｂ内における伝送距離は、ＤＸ＋３・ΔＰＹ＋ＤＹである。従って、光学素子１８ａ内及び光学素子１８ｂ内における光信号Ｓ１の伝送距離は、合計で２・ＤＸ＋３・ΔＰＸ＋３・ΔＰＹ＋２・ＤＹである。
また、発光素子２０ｂから出射される光信号Ｓ２の光学素子１８ａ内における伝送距離は、ＤＸ＋２・ΔＰＸ＋ΔＰＹ＋ＤＹである。また、光信号Ｓ２の光学素子１８ｂ内における伝送距離は、ＤＸ＋ΔＰＸ＋２・ΔＰＹ＋ＤＹである。従って、光学素子１８ａ内及び光学素子１８ｂ内における光信号Ｓ２の伝送距離は、合計で２・ＤＸ＋３・ΔＰＸ＋３・ΔＰＹ＋２・ＤＹである。
また、発光素子２０ｃから出射される光信号Ｓ３の光学素子１８ａ内における伝送距離は、ＤＸ＋ΔＰＸ＋２・ΔＰＹ＋ＤＹである。また、光信号Ｓ３の光学素子１８ｂ内における伝送距離は、ＤＸ＋２・ΔＰＸ＋ΔＰＹ＋ＤＹである。従って、光学素子１８ａ内及び光学素子１８ｂ内における光信号Ｓ３の伝送距離は、合計で２・ＤＸ＋３・ΔＰＸ＋３・ΔＰＹ＋２・ＤＹである。
また、発光素子２０ｄから出射される光信号Ｓ４の光学素子１８ａ内における伝送距離は、ＤＸ＋３・ΔＰＹ＋ＤＹである。また、光信号Ｓ４の光学素子１８ｂ内における伝送距離は、ＤＸ＋３・ΔＰＸ＋ＤＹである。従って、光学素子１８ａ内及び光学素子１８ｂ内における光信号Ｓ４の伝搬距離は、合計で２・ＤＸ＋３・ΔＰＸ＋３・ΔＰＹ＋２・ＤＹである。
このように、本実施形態による光伝送システムによれば、光学素子１８ａと光学素子１８ｂが上記のように配置されているため、複数の光信号Ｓ１〜Ｓ４の伝送距離を互いに等しくすることができる。このため、本実施形態によれば、信頼性の高い光伝送システムを構築することが可能となる。
（変形実施形態）
本発明は上記実施形態に限らず種々の変形が可能である。
例えば、上記実施形態では、第３の端面１５に形成された光反射部１６ａ〜１６ｄを第１の端面１２に投影したときのピッチを２５０μｍ、第３の端面１５に形成された光反射部１６ａ〜１６ｄを第２の端面１４に投影したときのピッチを５００μｍとしたが、光反射部１６ａ〜１６ｄのピッチはこれに限定されるものではなく、発光素子２０ａ〜２０ｄ、受光素子２３ａ〜２３ｄ、光導波路２１ａ〜２１ｄ等のピッチに適合するように、適宜設定すればよい。
また、上記実施形態では、発光素子２０ａ〜２０ｄとしてＶＣＳＥＬを用いる場合を例に説明したが、発光素子２０ａ〜２０ｄはＶＣＳＥＬに限定されるものではなく、あらゆる発光素子を適宜用いることができる。
また、上記実施形態では、受光素子２３ａ〜２３ｄとしてＰＤを用いる場合を例に説明したが、受光素子２３ａ〜２３ｄはＰＤに限定されるものではなく、あらゆる受光素子を適宜用いることができる。
また、上記実施形態では、光導波路２１ａ〜２１ｄとしてプラスチック光ファイバを用いる場合を例に説明したが、光導波路２１ａ〜２１ｄはプラスチック光ファイバに限定されるものではなく、あらゆる材料より成る光導波路を適宜用いることができる。
また、上記実施形態では、光学素子１８、１８ａ、１８ｂの第１の端面１２側に、第１のピッチΔＰＸでアレイ状に形成された発光素子または受光素子を設けたが、光学素子１８、１８ａ、１８ｂの第１の端面１２側に、第１のピッチΔＰＸでアレイ状に形成された光導波路を設けてもよい。この場合には、互いにピッチが異なる光導波路アレイを光学素子１８ａ、１８ａ、１８ｂを用いて光学的に接続することができる。
また、上記実施形態では、発光素子アレイ２０等と光導波路アレイ２１とを光学素子１８、１８ａ、１８ｂを用いて光学的に接続する場合を例に説明したが、本発明はピッチが異なるあらゆる光学部材アレイを光学的に接続する場合に適用することができる。
また、上記実施形態では、第１の端面１２と第２の端面１４との交角が９０°である場合を例に説明したが、第１の端面１２と第２の端面１４との交角は必ずしも９０°でなくてもよい。例えば、第１のピッチΔＰＸで配列された発光素子等から出射される光信号Ｓ１〜Ｓ４が、第２のピッチΔＰＹで配列された光導波路等に入射されるように、第１の端面１２と第２の端面１４との交角を適宜設定すればよい。
また、上記実施形態では、光反射部１６ａ〜１６ｄが第１の端面１２に対して４５°傾いており、第２の端面１４に対しても４５°傾いている場合を例に説明したが、光反射部１６ａ〜１６ｄの第１の端面１２又は第２の端面１４に対する傾きは、必ずしも４５°でなくてもよい。例えば、第１のピッチΔＰＸで配列された発光素子等から出射される光信号Ｓ１〜Ｓ４が、第２のピッチΔＰＹで配列された光導波路等に入射されるように、光反射部１６ａ〜１６ｄの傾きを適宜設定すればよい。
また、上記実施形態では、発光素子２０ａ〜２０ｄ、光導波路２１ａ〜２１ｄ、光反射部１６ａ〜１６ｄ等をそれぞれ４つずつ設ける場合を例に説明したが、発光素子、光導波路、光反射部等の数は４つに限定されるものではなく、適宜設定すればよい。
【産業上の利用の可能性】
本発明による光学素子、光伝送ユニット及び光伝送システムは、ピッチが互いに異なる光素子アレイや光導波路アレイ等を簡便に光学的に接続するのに有用である。
【図１】
2004104666.tif 000004
2004104666.tif 000005
【図３】
2004104666.tif 000006
2004104666.tif 000007
2004104666.tif 000008
【図６】
2004104666.tif 000009
【図７】
2004104666.tif 000010
【図８】
2004104666.tif 000011
【図９】
2004104666.tif 000012
2004104666.tif 000013
【図１１】
2004104666.tif 000014
【手続補正書】
【提出日】平成17年5月18日(2005.5.18)
【手続補正１】
【補正対象書類名】明細書
【補正対象項目名】特許請求の範囲
【補正方法】変更
【補正の内容】
【特許請求の範囲】
【請求項１】  第１の端面と；前記第１の端面に対して所定の角度をなす第２の端面と；前記第１の端面及び前記第２の端面の一方から入射される複数の光信号をそれぞれ反射し、前記第１の端面及び前記第２の端面の他方から出射する複数の光反射部が形成された第３の端面とを有する透明体より成り、
前記第３の端面に形成された前記複数の光反射部を前記第１の端面に投影したときのピッチが、第１のピッチであり、
前記第３の端面に形成された前記複数の光反射部を前記第２の端面に投影したときのピッチが、前記第１のピッチと異なる第２のピッチである
ことを特徴とする光学素子。
【請求項２】  請求の範囲第１項に記載の光学素子において、
前記第１の端面と前記第２の端面との交角は、ほぼ９０°であり、
前記第３の端面に形成された前記複数の光反射部は、前記第１の端面又は前記第２の端面に対して、それぞれほぼ４５°傾いている
ことを特徴とする光学素子。
【請求項３】  請求の範囲第１項又は第２項に記載の光学素子において、
前記第１の端面に、前記第１のピッチで複数のレンズが形成されている
ことを特徴とする光学素子。
【請求項４】  請求の範囲第１項乃至第３項のいずれか１項に記載の光学素子において、
前記第２の端面に、前記第２のピッチで複数のレンズが形成されている
ことを特徴とする光学素子。
【請求項５】  回路基板と、
前記回路基板上に設けられ、第１のピッチで配列されて成り、光信号をそれぞれ出射する複数の発光素子と、
前記回路基板上に設けられ、前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである光学素子と
を有することを特徴とする光伝送ユニット。
【請求項６】  回路基板と、
前記回路基板上に設けられ、第１の端面と；前記第１の端面に対して所定の角度をなす第２の端面と；前記第２の端面から入射される複数の光信号をそれぞれ反射し、前記第１の端面から出射する複数の光反射部が形成された第３の端面とを有する透明体より成り、前記第３の端面に形成された前記複数の光反射部を前記第１の端面に投影したときのピッチが、第１のピッチであり、前記第３の端面に形成された前記複数の光反射部を前記第２の端面に投影したときのピッチが、前記第１のピッチと異なる第２のピッチである光学素子と、
前記光学素子の前記第１の端面に対向し、前記第１のピッチで配列されて成り、前記複数の光信号がそれぞれ入射される受光素子と
を有することを特徴とする光伝送ユニット。
【請求項７】  請求の範囲第５項又は第６項に記載の光伝送ユニットにおいて、
前記第２のピッチで配列されて成り、前記光学素子の前記第２の端面に対向する複数の光導波路を更に有する
ことを特徴とする光伝送ユニット。
【請求項８】  第１のピッチで配列されて成り、光信号をそれぞれ出射する複数の発光素子と、
前記複数の発光素子に対向する第１の端面と；前記第１の端面に対して所定の角度をなす第２の端面と；前記第１の端面から入射される複数の前記光信号をそれぞれ反射し、前記第２の端面から出射する複数の光反射部が形成された第３の端面とを有する透明体より成り、前記第３の端面に形成された前記複数の光反射部を前記第１の端面に投影したときのピッチが、前記第１のピッチであり、前記第３の端面に形成された前記複数の光反射部を前記第２の端面に投影したときのピッチが、前記第１のピッチと異なる第２のピッチである第１の光学素子と、
前記第２のピッチで配列されて成り、一方の端部が前記第１の光学素子の前記第２の端面に対向する複数の光導波路と、
前記複数の光導波路の他方の端部に対向する第４の端面と；前記第４の端面に対して所定の角度をなす第５の端面と；前記第４の端面から入射される複数の光信号をそれぞれ反射し、前記第５の端面から出射する複数の光反射部が形成された第６の端面とを有する透明体より成り、前記第６の端面に形成された前記複数の光反射部を前記第５の端面に投影したときのピッチが、前記第１のピッチであり、前記第６の端面に形成された前記複数の光反射部を前記第４の端面に投影したときのピッチが、前記第２のピッチである第２の光学素子と、
前記第２の光学素子の前記第５の端面に対向し、前記第１のピッチで配列されて成り、前記複数の光信号がそれぞれ入射される複数の受光素子と
を有することを特徴とする光伝送システム。
【請求項９】  請求の範囲第８項に記載の光伝送システムにおいて、
前記第３の端面に形成された前記複数の光反射部のうちの前記第１の端面に最も近い前記光反射部により反射される前記光信号が、前記第６の端面に形成された前記複数の他の光反射部のうちの前記第４の端面から最も離れた前記他の光反射部により反射され、前記第３の端面に形成された前記複数の光反射部のうちの前記第１の端面から最も離れた前記光反射部により反射される前記光信号が、前記第６の端面に形成された前記複数の他の光反射部のうちの前記第４の端面に最も近い前記他の光反射面により反射されるように、前記第１の光学素子と前記第２の光学素子とが配置されている
ことを特徴とする光伝送システム。
【国際調査報告】
2004104666.tif 000015
2004104666.tif 000016
2004104666.tif 000017
2004104666.tif 000018